(57)【特許請求の範囲】
【請求項１】
軸筒内に複数の筆記体を弾発部材により軸筒後端方向に付勢して配設し、各筆記体の後部に摺動体を連接し、一つの摺動体を軸筒先端開口部方向にスライドすることにより、一つの摺動体の後端部に形成した係止部を軸筒に形成した止め部に係止して、一つの筆記体の筆記先端部を軸筒先端開口部から突出した状態を維持し、他の摺動体を軸筒先端方向にスライドせしめることで、他の摺動体に形成した解除突起が、一つの摺動体に当接して止め部に係止していた一つの摺動体の係止部を係脱させ、一つの筆記先端部を軸筒先端開口部より没入させるとともに、他方の摺動体をさらに軸筒先端開口部方向にスライドすることにより他の係止部が止め部に係止して他の筆記体の筆記先端部の突出状態を維持する、筆記先端部を選択して出没可能なスライド式の複合筆記具において、前記摺動体の後端に、各々の摺動体に連接して軸筒先端開口部方向に摺動自在な一端を軸筒後端より突出させた押圧体を配設し、該押圧体を軸筒先端方向に押圧作動することによって前記摺動体が軸筒先端方向に連動して前進可能とし、一つの筆記体の筆記先端部が軸筒先端開口部から突出した状態で、押圧体を押圧することにより他の摺動体を軸筒先端方向に前進させることで、一つの筆記体の筆記先端部を軸筒先端開口部から没入可能としたことを特徴とするスライド式の複合筆記具。
【請求項２】
前記クリップ部材をＬ字型に形成し、該クリップ部材の後端部を押圧体の後端に位置させるとともに、前記軸筒がクリップ部材を枢支し、前記クリップ部材の玉部が軸筒から離間することによって、前記クリップ部材の後端部が押圧体を押圧することを特徴とする請求項１に記載のスライド式の複合筆記具。
【請求項３】
前記押圧体の後端面が、前記クリップ部材の枢支位置に向かって傾斜していることを特徴とする請求項２に記載のスライド式の複合筆記具。
【発明の詳細な説明】
【０００１】
【発明の属する技術分野】
本発明は、軸筒内に複数の筆記体を配設したスライド式の複合筆記具に関する。
【０００２】
【従来技術】
従来から、スライド式の複合筆記具として、例えば、図１から図５に示すように、一方の摺動体５の隆起部５ａを軸筒先端開口部２ａ方向にスライドすることにより、摺動体５の後端部に形成した係止部５ｂを軸筒に形成した止め部３ｂに係止して、筆記体７の筆記先端部８を軸筒先端開口部２ａから突出した状態を維持し、他方の摺動体６の隆起部６ａを軸筒先端開口部２ａ方向にスライドせしめることで、他方の摺動体６の解除突起６ｃが一方の摺動体５に当接するとともに、軸筒先端方向及び軸心から外側に向って力が加わることによって、止め部３ｂに係止していた一方の摺動体５の係止部５ｂは係脱し、一方の筆記先端部８を軸筒先端開口部２ａより没入させ、さらに他方の摺動体６を前進することにより他方の係止部６ｂが止め部３ｂに係止して筆記体９の筆記先端部１０の突出状態を維持する、筆記先端部を選択して出没可能な出没機構を有する、ボールペンレフィルやシャープペンシル体等、複数の筆記体を軸筒内に収容した構造のスライド式の複合筆記具は良く知られている。
【０００３】
ところで、前記スライド式の複合筆記具を、筆記体の筆記先端部が突出した状態でポケット等の布地に挟持した時、特に筆記体が、低粘度である水性インキや２５℃において粘度が３０００ｍＰａ・ｓ以下の油性インキ、あるいは剪断減粘性を付与したインキを収容したボールペンレフィルである場合には、前記インキがポケットの布地に染み込み汚してしまうという問題があり、突出状態を簡単に解除できるスライド式の複合筆記具が切望されている。
【０００４】
【発明が解決しようとする課題】
しかしながら、前記従来のスライド式の複合筆記具は、筆記先端部の突出を解除するには、他の摺動体をスライドさせる必要があるが、摺動体の隆起部は軸筒の側面に沿ってスライドさせる構造であるので、一つの筆記体の突出状態を解除又は他の筆記体を突出させる場合等、一本の指のみで操作する場合には、軸筒を回転させる等、摺動体が指の前方へくるように位置設定していた。すなわち一本の指では複数の摺動体を操作しにくかった。
【０００５】
突出状態を簡単に解除できるスライド式の複合筆記具として、例えば実開平７−２６１８３号「多色ボールペン」のように押圧体に直接、摺動体の係止部を係止して筆記先端部の突出状態を維持するとともに、押圧体を押圧することによって押圧体に係止した摺動体の係止部を解除する構造のものが開示されているが、従来の構造とは大きく変化してしまうのでコストが大幅にアップしてしまう。また押圧体でしか解除できないので、押圧体を押圧し、一つの筆記体の突出状態を解除してからでないと他の筆記体を突出させることができなかった。
【０００６】
また、クリップを有するスライド式の複合筆記具もよく知られているが、ポケットに挟持した状態では、摺動体がポケット内に入り込むので摺動体の操作は一層困難であった。さらに、クリップ部材によってポケットに挟持した際、筆記体の突出状態を解除する、いわゆるセーフティ機構を具備した複合筆記具として、例えば摺動体と一体あるいは摺動体の前進によって連動する、弾性体により常に軸筒後端方向へ付勢して配設したセーフティ部材に形成した係止部を、クリップの玉部に形成した止め部に係止して筆記先端部の突出状態を維持し、ポケットに挟持する際等の、クリップの軸筒側面からの離間作動によって前記係止部の係止状態が解除され、前記弾性体の付勢力によりセーフティ部材を後退させ、該セーフティ部材の後退に連動して摺動体も後退させることにより、筆記先端部を軸筒内に没入させる構造のものは知られている。こうしたセーフティ部材を具備した複合筆記具においては、落下等、何らかの理由によりクリップが破損した場合に、筆記先端部の突出状態を維持することができなかった。また、こうした構造は複雑であり、従来の構造とは大きく変化してしてしまうのでコストが大幅にアップしてしまう。
【０００７】
また、本発明者はスライド式の複合筆記具における筆記体の突出状態を解除する構造について鋭意研究した結果、従来のスライド式の複合筆記具である、軸筒に形成した止め部に係止している一つの摺動体の係止部を、他の摺動体に形成した解除突起が一つの摺動体に当接し、軸筒先端方向及び軸心から外側に向って力を加えることによって一つの摺動体の係止部を止め部から係脱させることにより、弾性体により軸筒後端方向に付勢して配設している筆記先端部を没入する機構は、係止部及び止め部の構造を考慮し、経時による係止部及び止め部の摩耗や破損を防止するには最適な構造であり、経時安定性に優れているという知見に至った。
【０００８】
本発明の目的は、上述した従来の問題点等に鑑み、筆記先端部の突出状態を解除し易い、経時的に安定した出没作動を維持するスライド式の複合筆記具を簡単な構造で提供することである。
【０００９】
【課題を解決するための手段】
本発明は、軸筒内に複数の筆記体を弾発部材により軸筒後端方向に付勢して配設し、各筆記体の後部に摺動体を連接し、一方の摺動体を軸筒先端開口部方向にスライドすることにより、一方の摺動体の後端部に形成した係止部を軸筒に形成した止め部に係止して、一方の筆記体の筆記先端部を軸筒先端開口部から突出した状態を維持し、他方の摺動体の隆起部を軸筒先端方向にスライドせしめることで、他方の摺動体の解除突起が、一方の摺動体に当接するとともに、一方の摺動体に軸筒先端方向及び軸心から外側に向って力を加えることによって、止め部に係止していた一方の摺動体の係止部を係脱させ、一方の筆記先端部を軸筒先端開口部より没入させるとともに、他方の摺動体をさらに軸筒先端開口部方向にスライドすることにより他方の係止部が止め部に係止して他方の筆記体の筆記先端部の突出状態を維持する、筆記先端部を選択して出没可能なスライド式の複合筆記具において、前記摺動体の後端に、軸心方向に摺動自在な押圧体を配設するとともに、前記押圧体を軸筒先端方向に押圧作動することによって前記摺動体が軸筒先端方向に連動して前進し、一方の筆記体の筆記先端部を軸筒先端開口部から突出した状態で、押圧体を押圧することにより他方の摺動体を軸筒先端方向に前進させ、一方の筆記体の筆記先端部を軸筒先端開口部から没入可能とする。
【００１０】
また、前記クリップ部材をＬ字型に形成し、該クリップ部材の後端部を押圧体の後端に位置させるとともに、前記軸筒がクリップ部材を枢支し、前記クリップ部材の玉部が軸筒から離間することによって、前記クリップ部材の後端部が押圧体を押圧する。
【００１１】
またさらに、前記押圧体の後端面が、前記クリップ部材の枢支位置に向かって傾斜しているものである。
【００１２】
【発明の実施の形態】
以下、図面を参照して本発明の実施の形態を説明する。尚、図面中同じ部材、同じ部品については同じ番号を付してある。
図１から図５に示すように、本実施の形態のスライド式の複合筆記具１は、前軸２の後端に後軸３を螺着した軸筒構造であり、軸筒内に色の異なるインキ（図示せず）を収容したボールペンレフィルである筆記体７、９を、弾発部材１３、１４により後方に付勢させて収納してある。また、該後軸３には軸心方向に沿って延びる、外方に開口した摺動部３ｃを径方向に区画して形成してあり、この摺動部３ｃに、前記筆記体７、９に連接したインキ色と同色の摺動体５、６を摺動可能に配設する。筆記体７、９には剪断減粘性を付与したインキ（図示せず）及びインキの後端には、インキの消費にともないインキに追随して移動するグリース状のインキ追従体（図示せず）を収納してある。また、ボールペンレフィルの筆記先端部８、１０は、図示はしていないが、先端に回転自在に抱持したボールを常にチップ先端内壁面に押圧するためのコイルスプリングを配設したボールペンチップ構造のものである。
【００１３】
摺動体５、６には隆起部５ａ、６ａが設けてあり、この隆起部５ａ、６ａを、外方に開口した摺動部３ｃから後軸３の外周面より突出した状態に保持してある。隆起部５ａを軸筒先端開口部２ａ方向に前進せしめることで、摺動体５に形成した係止部５ｂが後軸３の内部に形成した止め部３ｂに係止して、前記筆記体７の筆記先端部８を、前軸２の先端開口部２ａから選択して突出することができる。
【００１４】
また、摺動体５、６の後端に、押圧体４を軸筒後端部３ａより突出させて、不使用時にガタつかないように弾性体１２により常時軸筒後端方向に付勢し、抜け落ち防止のため頭冠１１を装着して配設する。押圧体４は軸心方向に摺動自在に配設してあり、押圧体４を軸筒先端開口部２ａ方向に押圧せしめることで、摺動体５、６も連動して軸筒先端方向に前進する。従って、前記したように一方の筆記体７の筆記先端部８を突出した状態で維持している場合に、押圧体４を押圧することにより、他方の摺動体６が連動して前進し、他方の解除突起６ｃが一方の解除突起５ｃに軸筒先端方向及び軸心から外側に向って力を加えることによって、止め部３ｂに係止している一方の係止部５ｂを解除する。
【００１５】
図６、図７に示す、第２の実施の形態におけるスライド式の複合筆記具２１は、後軸１５に、クリップ部材１７をＬ字型に形成し、クリップ部材の後端部１７ｂが押圧体１６の後端に位置させ、後軸１５に形成した突部１５ａにクリップ部材１７の中央部に設けた係止部１７ｃを枢支して、クリップ部材１７の玉部１７ａが軸筒から離間可能にかつ後端部１７ｂが押圧体１６を押圧可能に配設してある。それ以外は第１の実施の形態と同様にして得ている。
【００１６】
ポケットにクリップ部材１７を挟持した場合等、挟持部となる玉部１７ａが軸筒から離間する（図５の矢印Ｋ方向）ことによりクリップ部材１７の後端部１７ｂが押圧体１６を押圧する。その結果、一方の筆記体５の筆記先端部（図示せず）を突出した状態で維持している場合は、クリップ部材１７の後端部１７ｂが押圧体１６を押圧し、押圧体の前進（図５の矢印Ｌ方向）によって、他方の摺動体６が連動して前進し、他方の解除突起６ｃが一方の解除突起５ｃに軸筒先端方向及び軸心から外側に向って力を加えることによって、止め部（図示せず）に係止している一方の係止部５ａを解除するセーフティ機構となる。押圧体１６はクリップ１７の後端部１７ｂによって押圧し易いように、押圧体１６の後端面１６ａをクリップ１７の枢支位置に向かって傾斜させてある。
【００１７】
また、摺動体５、６を直接作動する場合には、クリップ部材１７の有無に関わらず出没作動可能であるので、仮にクリップ部材１７が破損した状態であっても摺動体５、６の作動だけで筆記可能である。また、本発明にけるクリップ部材の配設付設方法は実施の形態に限るものでなく、ポケットにクリップ部材を挟時した場合等、クリップ部材の一端部が押圧体を押圧する構造であればよい。さらに、軸筒と一体あるいは別体であってもよい。
【００１８】
尚、本実施の形態では、押圧体を軸筒後端より突出させて、不使用時にガタつかないように弾性体により常時軸筒後端方向に付勢し、抜け落ち防止のため頭冠を装着し、軸心方向に摺動自在に配設してあるが、押圧体の配設方法は特に限定されるものでなく、押圧体を軸筒後端より突出させて、軸心方向に摺動自在に配設するとともに、押圧体の前進により摺動体が連動する構造であれば、頭冠や弾性体の有無に関わらず使用することができる。また、前軸２と後軸３を螺着により軸筒を形成し、該後軸３に摺動部１６を形成しているが、軸筒を一体に形成し、軸筒後端部に摺動部を形成してもよいし、軸筒後端に、摺動部を径方向に区画してなる摺動ケース（図示せず）を付設してもよい。
【００１９】
また、本発明は、筆記体の数、筆記体に収容するインキ色、インキの種類等に限定されるものでなく、ボールペン３本や４本、あるいはシャープペンシル３本など、複数の筆記体を適宜選択して配設可能であり、さらに、ボールペンレフィルに収容するインキも、水性、油性、剪断減粘性を付与したインキ等を適宜選択して使用できるが、低粘度である水性インキや２５℃において粘度が３０００ｍＰａ・ｓ以下の油性インキ、あるいは剪断減粘性を付与したインキを収容したボールペンレフィルである場合には、前記インキがポケットの布地に染み込み、汚損し易いので特に効果が顕著である。
【００２０】
また、筆記体に摺動体を連接する構造についても特に限定されるものでなく、インキ収容筒の後端に直接あるいはインキ収容筒の後端に尾栓を挿着し、該尾栓に摺動体の先端部を係合して連接した構造等、従来から知られている構造を用いることができる。さらに、ボールペンチップ構造も、ボールをコイルスプリングの先端で直に押圧する構造としているが、ボールとコイルスプリングとの間に押圧子（図示せず）を介しても良いし、コイルスプリングを配設しない構造であっても良い。
【００２１】
【発明の効果】
以上の通り、本発明は前述した構成により、摺動体及び摺動体の出没作動は従来のスライド式複合筆記具の構造をそのまま実施できるので、コストが大幅にアップすることなく、経時安定性に優れた、筆記先端部の突出を解除し易い、スライド式の複合筆記具を提供することができた。
【００２２】
また、押圧体を押圧可能なクリップ部材を配設することにより、筆記体の筆記先端部が突出した状態でポケット等の衣類に挟持した場合に筆記先端部の突出を解除できるセーフティ機構を具備したスライド式の複合筆記具を簡単な構造で提供できる。
【図面の簡単な説明】
【図１】第１の実施の形態におけるスライド式の複合筆記具を示す縦断面図である。
【図２】図１における、筆記先端部を突出状態とした縦断面図である。
【図３】図１における、一部省略した要部拡大縦断面図である。
【図４】図２における、一部省略した要部拡大縦断面図である。
【図５】図４における、押圧体を押圧した状態を示す要部拡大縦断面図である。
【図６】第２の実施の形態におけるスライド式の複合筆記具を示す一部省略した要部縦断面図である。
【図７】図６における、クリップ部材を軸筒から離間した状態（解除）を示す縦断面図である。
【符号の説明】
１、２１  スライド式の複合筆記具
２  前軸
２ａ  先端開口部
３  後軸
３ａ  後軸後端部
３ｂ  止め部
４  押圧体
５、６  摺動体
５ａ、６ａ  隆起部
５ｂ、６ｂ  係止部
５ｃ、６ｃ  解除突起
７、９  ボールペンレフィル
８、１０  筆記先端部
１３、１４  弾性体
１５  後軸
１６  押圧体
１７  クリップ
１７ａ  玉部
１７ｂ  後端部
【図１】
0003710125.tif 000002
【図２】
0003710125.tif 000003
【図３】
0003710125.tif 000004
【図４】
0003710125.tif 000005
【図５】
0003710125.tif 000006
【図６】
0003710125.tif 000007
【図７】
0003710125.tif 000008